(57)【特許請求の範囲】
【請求項１】
光ファイバ用コネクタ部と光アダプタとから形成され、前記光ファイバ用コネクタ部が備える係合部が前記光アダプタの備える係合部に完全に係合することで嵌合して双方が結合されるものであって、該嵌合に至らない係合状態の時に、半挿し状態が形成される光ファイバコネクタにおいて、
前記光ファイバ用コネクタ部の周囲に、前記光ファイバ用コネクタ部と一体とされ、ハウジングに対して摺動可能とされたリアツマミが設けられ、前記リアツマミの内部内面にリアツマミ側突起が設けられ、前記ハウジングの外面にハウジング側突起が設けられ、前記光ファイバ用コネクタ部が前記光アダプタに向けて移動されて、前記光ファイバ用コネクタ部の係合部と前記光アダプタの係合部とが嵌合した時に、前記リアツマミ側突起が前記ハウジング側突起を完全に乗り越えて前記リアツマミと前記ハウジングとが完全に接続され、前記リアツマミと前記光アダプタとが間隙がない状態で接触した嵌合状態とされ、
前記リアツマミに、前記リアツマミの内外面を貫通し、嵌合がなされた時に前記ハウジングの先端部が位置する箇所に対向して表示窓が形成され、双方の嵌合がなされる以前の光ファイバ用コネクタ部の係合部と光アダプタの係合部との前記半挿し状態の時には、前記表示窓の一部に前記ハウジングの外面の一部が表示されるかあるいはまったく表示されることがなく、双方の嵌合の時には、前記表示窓の全面に亘って移動した前記ハウジングのハウジング外面が表示されること
を特徴とする光ファイバコネクタ。
【請求項２】
請求項１において、光ファイバ用コネクタ部は、リアツマミ操作によって光アダプタに係合し、嵌合されることを特徴とする光ファイバコネクタ。
【請求項３】
請求項１において、ハウジングは、リアツマミとは異なった色に全体的に着色されて表示窓に表示されることを特徴とする光ファイバコネクタ。
【請求項４】
請求項１において、ハウジングは、表示窓に対応するハウジング表面がリアツマミとは異なった色に着色されて表示窓に表示されることを特徴とする光ファイバコネクタ。
【発明の詳細な説明】
【技術分野】
【０００１】
本発明は、光ファイバコネクタに関する。
【背景技術】
【０００２】
光ファイバコードを家庭内の光ファイバコードに接続する時に光ファイバコネクタが用いられる。この光ファイバコネクタには１心の光ファイバコードが取り付けられる。光ファイバコネクタは端面保護・遮光のためのシャッタが設けられ、アダプタに接続されるようになっている。
【０００３】
光ファイバコネクタは、コネクタプラグとも呼ばれるが、光アダプタに対して着脱自在とされ、光ファイバをその終端面が露出するように保持するフェルール、フェルールを収容するハウジングを備え、ハウジングは光アダプタ内に一体的に配設される。
【０００４】
特許文献１には、コネクタプラグが記載されている。
【先行技術文献】
【特許文献】
【０００５】
【特許文献１】特開２０００−１４７３２３号公報
【発明の概要】
【発明が解決しようとする課題】
【０００６】
従来、光ファイバ用コネクタ部を光アダプタへ挿入する際に、光ファイバ用コネクタ部のラッチが光アダプタのラッチに係合する前に嵌合作業を終わらせてしまう、いわゆる半挿し状態がある。これを防止するために、光ファイバ用コネクタ部を光アダプタに挿入して完全に嵌合状態となったかどうかをハウジングに設けた白色表示部分がコネクタ部分の挿入に伴なって光アダプタに隠れていくことを視認することで嵌合状態を知るようにしている。または、光ファイバ用コネクタ部を光アダプタに挿入して双方の係合状態が嵌合状態に完全になされたかどうかはコネクタ部分をハウジングに挿入した時の係合箇所から伝わる感覚を作業員が指先に知ることによってなされて来た。
【０００７】
しかしながら、これらの手段によっては嵌合状態をしっかりと確実に視認することができないことがあるために作業者がどうしても嵌合状態を見落というミスが発生しており、光ファイバ用コネクタ部の光アダプタに対する作業が不完全となった例が報告されるところである。
【０００８】
本発明は、かかる点に鑑みてなされたもので光ファイバ用コネクタ部の光アダプタへの係合状態、嵌合状態をしっかりと確実に視認することができるようにして、嵌合と半挿しの状態との差異をしっかりと確認することができるようにすることを目的とする。
【課題を解決するための手段】
【０００９】
本発明は、光ファイバ用コネクタ部と光アダプタとから形成され、前記光ファイバ用コネクタ部が備える係合部が前記光アダプタの備える係合部に完全に係合することで嵌合して双方が結合されるものであって、該嵌合に至らない係合状態の時に、半挿し状態が形成される光ファイバコネクタにおいて、
前記光ファイバ用コネクタ部の周囲に、前記光ファイバ用コネクタ部と一体とされ、ハウジングに対して摺動可能とされたリアツマミが設けられ、前記リアツマミの内部内面にリアツマミ側突起が設けられ、前記ハウジングの外面にハウジング側突起が設けられ、前記光ファイバ用コネクタ部が前記光アダプタに向けて移動されて、前記光ファイバ用コネクタ部の係合部と前記光アダプタの係合部とが嵌合した時に、前記リアツマミ側突起が前記ハウジング側突起を完全に乗り越えて前記リアツマミと前記ハウジングとが完全に接続され、前記リアツマミと前記光アダプタとが間隙がない状態で接触した嵌合状態とされ、
前記リアツマミに、前記リアツマミの内外面を貫通し、嵌合がなされた時に前記ハウジングの先端部が位置する箇所に対向して表示窓が形成され、双方の嵌合がなされる以前の光ファイバ用コネクタ部の係合部と光アダプタの係合部との前記半挿し状態の時には、前記表示窓の一部に前記ハウジングの外面の一部が表示されるかあるいはまったく表示されることがなく、双方の嵌合の時には、前記表示窓の全面に亘って移動した前記ハウジングのハウジング外面が表示されること
を特徴とする光ファイバコネクタを提供する。
【００１０】
本発明は、また、光ファイバ用コネクタ部は、リアツマミ操作によって光アダプタに係合し、嵌合されることを特徴とする光ファイバコネクタを提供する。
【００１１】
本発明は、また、ハウジングは、リアツマミとは異なった色に全体的に着色されて表示窓に表示されることを特徴とする光ファイバコネクタを提供する。
【００１２】
本発明は、また、ハウジングは、表示窓に対応するハウジング表面がリアツマミとは異なった色に着色されて表示窓に表示されることを特徴とする光ファイバコネクタを提供する。
【発明の効果】
【００１３】
本発明は、上述したようにリアツマミとハウジングの双方の嵌合がなされる以前には表示窓の一部にハウジング外面の一部が表示されるかあるいはまったく表示されることがなく、双方の嵌合がなされた時には、表示窓の全面に亘ってハウジング外面が表示されるようにしているので、双方の係合が不完全な状態、これは光ファイバ用コネクタの係合部と光アダプタの係合部が半挿しのような状態にある時と完全係合の嵌合時とは表示窓に表示される状況によって明確に区別されることになるので、作業員は係合状態、嵌合状態を素早くしかも確実に視認できることになる。確実な視認が確保されて、リアツマミとハウジングが半挿しの状態で光ファイバ用コネクタと光アダプタの嵌合が完了したとして作業が終了することになるような人為的なミスをなくすことができる。
【図面の簡単な説明】
【００１４】
【図１】本発明の実施例の全体構成を示す図。
【図２】本発明の実施例の構成を未嵌合状態で示す上面図。
【図３】図２の側面図。
【図４】係合部の状態を示す図。
【図５】本発明の実施例の構成を嵌合状態で示す上面図。
【図６】図５の側面図。
【図７】嵌合状態にある係合部の状態を示す図。
【発明を実施するための形態】
【００１５】
以下、本発明の実施例について説明する。
【実施例】
【００１６】
図１は、本発明の実施例である光ファイバコネクタの構成を示す図であり、図１（Ａ）が光ファイバコネクタ部が光アダプタに対して半挿しになっている状態を示し、図１（Ｂ）が光ファイバコネクタ部が光アダプタに対して完全結合、すなわち嵌合された状態になっている状態を示す。
【００１７】
図１には、右側の本実施例の光ファイバコネクタ１００と左側の標準タイプの光ファイバコネクタ１００´が一体化した構成が図示されている。標準タイプの光ファイバコネクタ１００´がなく、本実施例の光ファイバコネクタ１００のみによっても構成されてよい。
【００１８】
ここでは、本実施例の光ファイバコネクタ１００について説明することとし、標準タイプの光ファイバコネクタ１００´については、同一の部品についてダッシュ（´）を付けることとする。
【００１９】
光ファイバコネクタ１００は、周知のように、光ファイバ用コネクタ部１と光アダプタ２とから構成される。本実施例は、これらの部品にリアツマミ３が追加される。
【００２０】
光アダプタ２は、その内部にハウジング４を備える。したがって、光ファイバ用コネクタ部１はハウジング４に係合する。光ファイバ用コネクタ部１が光アダプタに係合するということと光ファイバ用コネクタ部１がハウジング４に係合するということは同義語で、単に部品が異なることを意味するにすぎない。
【００２１】
したがって、光ファイバコネクタ１００は、光ファイバ用コネクタ部１と他のコネクタ部となるハウジング４（あるいは光アダプタ２）とから形成され、光ファイバ用コネクタ部１が備えるラッチ、すなわち係合部が光アダプタ２の備えるラッチ、すなわち係合部に完全に係合することで嵌合して双方が結合されるものであって、この嵌合に至らない係合の状態の時に半挿し状態が形成される。
【００２２】
上述したように、図１（Ａ）が半挿し状態を示し、図１（Ｂ）が嵌合状態を示す。
【００２３】
図１において、光ファイバ用コネクタ部１の周囲に光ファイバコネクタ部１と一体とされ、ハウジング３に対して摺動可能とされたリアツマミ３が設けられる。リアツマミ３は、光アダプタ２に対して長手方向に対して直列方向に並行配置とされる。
【００２４】
後述するように、ハウジング４は、ハウジングガイド７を備え、リアツマミ３は、表示窓１５を備える。
【００２５】
光ファイバコード１６はブーツ１７内を貫通して配設され光ファイバ用コネクタ部１のフェルール（図示せず）内の光ファイバに接続される。
【００２６】
図１（Ａ）の状態は、半挿しの状態にあるので光アダプタ２とリアツマミ３との間にはわずかな間隙１８が形成される。図２（Ｂ）の状態は嵌合の状態にあるので、光アダプタ２とリアツマミ３とは接触し、両者の間には間隙はない。このような操作は、光ファイバ用コネクタ部１が、リアツマミ操作によってハウジングに係合されることでなされる。この時に、リアツマミ３はハウジング４の外周面を摺動することになる。
【００２７】
リアツマミ３に、リアツマミ３の内外面を貫通し、双方の係合がなされた時にハウジング４の先端部が位置する箇所に対向して表示窓１５が形成され、双方の係合がなされる以前の光ファイバ用コネクタ部１と光アダプタ２との半挿しの時には、表示窓１５の一部にハウジング外面の一部が表示されるかあるいはまったく表示される事がなく、双方の係合がなされた嵌合の時には、表示窓１５の全面に亘って移動したハウジング４のハウジング外面が表示されることになる。以下、詳細に説明する。
【００２８】
図２は、本発明の実施例である光ファイバ用コネクタの構成を示す上方からみた平面図、すなわち上面図であり、光アダプタ２を取り外した状態の図である。図３は側方からみた側面図である。
【００２９】
光ファイバコネクタ１は、一方の光ファイバ用コネクタ部１（図１）と、リアツマミ３と他方のコネクタ部となるハウジング４から構成される。上述したように、ハウジング４は光アダプタ２に接続される。
【００３０】
光ファイバコード１６がブーツ１７内を内通し、リアツマミ３の内部で固定され、光ファイバがハウジング４内に配置したフェルール（図示せず）に収納される。このような構造は、よく知られているところである。
【００３１】
リアツマミ３は、内部に空間部があり、ハウジング４の外周を摺動可能に移動する構成となっていて、光ファイバ用コネクタ部１と一体移動する構成とされる。図２、図３の状態において、リアツマミ３を作業員が手で保持し、リアツマミ３を突起したガイド７に沿って左方に移動させることでリアツマミ３とハウジング４との係合および嵌合がなされる。この時に、光ファイバ用コネクタ部１のラッチ（係合部）とハウジング（光アダプタ）のラッチ（係合部）との係合及び嵌合がなされる。すなわち、光ファイバ用コネクタ部１とハウジング４との係合、嵌合は、リアツマミ３とハウジング４との係合、嵌合とは対の関係にあり、前者の係合、嵌合が後者によって体現されるものとなっている。
【００３２】
リアツマミ３の内壁にはガイド７を収納する溝（図示せず）が形成されている。
【００３３】
図２、図３は未嵌合状態の係合状態を示す。この状態における係合部の状態が図４に示してある。
【００３４】
図４において、リアツマミ３の内部内面にリアツマミ側突起１１が設けられ、ハウジング４の外面にハウジング側突起１２が設けられる。
【００３５】
リアツマミ側突起１１は、リアツマミの先端部に取り付けてあり、ハウジング側突起１２は、長手方向（光ファイバコード長手方向）に設けた溝１４の左端部で上方に突状にして設けられる。図では溝１４は２本形成してある。ハウジング側突起１２と溝１４の終端との間にはリアツマミ側突起１１が入り込むだけの空隙１３が形成してある。
【００３６】
リアツマミ側突起１１とハウジング側突起１２との関係を更に詳述すると、リアツマミ側突起１１がリアツマミの内部側内面に設けられ、ハウジング側突起１２がハウジング外面でリアツマミ側突起１２に対抗する外面に設けられる。
【００３７】
以上の構成において、リアツマミ３に、リアツマミ３の内外面を貫通して表示窓１５が設けてある。表示窓１５は２個設けてあるが１個でもよく、また３個でもよい。
【００３８】
表示窓１５位置と、リアツマミ側突起１１とハウジング側突起１２との係合、あるいは嵌合位置は光ファイバ用コネクタ部１とハウジング４との係合、嵌合との関係で、重要な意味を有している。
【００３９】
双方の嵌合がなされた時にハウジング４の差し込み側先端部８が位置する箇所に対向して表示窓１５が形成される。
【００４０】
図５は、図２に対応し、作業者がリアツマミ３を保持してリアツマミ３を移動させてハウジング４内を摺動させて形成した嵌合状態を示す。図６は、図５の状態で側方からの図を示す。
【００４１】
図７は、係合部の状態を示す。なお、本実施例では、嵌合とは双方がしっかりと固着される意味で用い、係合とは移動を伴う嵌合前後の係合状態について使用する。
【００４２】
図７において、リアツマミ３をハウジング４を摺動させるにつれて双方の突起１１、１２は接近し、ついには衝突し、リアツマミ３とハウジング４の持つバネ作用によってリアツマミ側突起１１はハウジング側突起１２に乗り上げた係合状態となる。この乗り上げた状態になるまでは双方の嵌合が未完成であるので双方は半挿しの状態にある。すなわち、光ファイバ用コネクタ部１とハウジング４との係合が半挿しの状態にある。
【００４３】
更にリアツマミ３がハウジング４を摺動されるとリアツマミ側突起１１は、ハウジング側突起１２から空隙１３に落ち込む。この状態になる時は、上述した乗り上げを超えて、上方にしなったリアツマミ３が下方に一瞬に戻る。これによって嵌合状態となる。この状態は、光ファイバ用コネクタが光アダプタに対し嵌合状態でもある。
【００４４】
これが半挿しの状態で作業を終了させては光ファイバとしての機能が損なわれることになる。
【００４５】
本実施例はこのような不確かを排除するのに有効である。
【００４６】
図５及び図６において、双方の突起１１、１２が上述した乗り上げを超えた嵌合状態、すなわち、図７に示すように上下方向ではなく突起横面での接触状態になる。
【００４７】
このような嵌合状態にあると、リアツマミ３はハウジング４にしっかりと固着された状態となる。
【００４８】
このような状態において、上述したようにハウジング４の先端部８は、表示窓１５の下方に位置することになる。双方の嵌合がなされた時には、表示窓１５の全面に亘って、移動したハウジング外面が覆うことになって、ハウジング４のハウジング外面色が表示窓１５に表示される。
【００４９】
これに対して、双方の嵌合がなされる以前には表示窓１５の一部に移動したハウジング外面の一部が表示されるか、あるいはまったく表示されない。まったく表示されない、すなわちハウジング外面に表示窓１５に対応する位置まで移動して来ていない状況では、図１に示すように表示部１５は光がないため黒く見えることになる。
【００５０】
ハウジング４は全体的に着色したプラスチックで構成することが出来る。例えば青色に着色することができる。図５に示す例では青色に着色したプラスチックを使用している。他の色でもよい。青色着色によって、図５に示す嵌合状態では、表示窓１５はハウジング外面の青色が見えることになる。
【００５１】
表示窓１５に対向するハウジング外面を限定した域のみを着色することができるが、製造コストの面でハウジング４の全体を着色するのがよい。
【００５２】
このようにすることによって、リアツマミ３に、リアツマミ３の内外面を貫通し、係合がなされた時にハウジング４の差し込み側先端部８が位置する箇所に対向して表示窓１５が形成され、嵌合がなされる以前には表示窓１５の一部にハウジング外面の一部が表示されるかあるいはまったく表示されることがなく、嵌合がなされたときには、光ファイバ用コネクタ部１とハウジング４との係合部の嵌合がなされたことが表示窓１５の全面に亘ってハウジング外面が表示される構成で得られる。すなわち、双方の嵌合状態が表示窓１５に色別的に表示される。
【００５３】
以上のように、本実施例によれば、双方の係合が半挿しではなく完全になされた嵌合の時には、表示窓１５にはハウジング色が表示され、半挿しの状態ではハウジング色は見えないか、不完全表示となって、作業員に光ファイバ用コネクタ部１と光アダプタ２との係合状態、嵌合状態を直ちに視認させることになる。
【符号の説明】
【００５４】
１…光ファイバ用コネクタ、２…光アダプタ、３…リアツマミ、４…ハウジング、７…ガイド、８…ハウジング先端部、１１…リアツマミ側突起、１２…ハウジング側突起、１３…空隙、１４…溝、１５…表示窓、１６…光ファイバコード、１７…ブーツ、１８…間隙、１００，１００´…光ファイバコネクタ。
【図１】
0005376343.tif 000002
【図２】
0005376343.tif 000003
【図３】
0005376343.tif 000004
【図４】
0005376343.tif 000005
【図５】
0005376343.tif 000006
【図６】
0005376343.tif 000007
【図７】
0005376343.tif 000008